(57)【特許請求の範囲】
【請求項１】
エンジンと、該エンジンにより駆動される作業機と、該エンジン及び作業機を覆う筐体と、該筐体の左右面に設けられ、開き戸式に開閉し、錠によりロックされるドアと、前記筐体のルーフに形成した溝状凹部の両側壁に掛け渡した棒状の吊り金具とを備えた可搬式エンジン作業機の盗難防止装置であって、
前記ルーフの左右端で屈曲され前記ルーフ上面から筐体左右面に渡って、前記凹部を覆うように設けられ、凹部の上部開口片側縁部に蝶番により開閉自在に取り付けた凹部カバーと、
該凹部カバーを閉じた時、閉じた状態をロックするロック機構と、
前記凹部カバーの両端に、それぞれ蝶番を介して取り付けられ、先端部に、前記ドアの上縁部で押さえ付けられる係止部を有する係止カバーとを備えたことを特徴とする可搬式エンジン作業機の盗難防止装置。
【請求項２】
エンジンと、該エンジンにより駆動される作業機と、該エンジン及び作業機を覆う筐体と、該筐体の左右面に設けられ、開き戸式に開閉し、錠によりロックされるドアと、前記筐体のルーフに形成した溝状凹部の両側壁に掛け渡した棒状の吊り金具とを備えた可搬式エンジン作業機の盗難防止装置であって、
前記ルーフの左端から右端に渡って、前記凹部を覆うように設けられ、凹部の上部開口片側縁部に蝶番により開閉自在に取り付けた凹部カバーと、
該凹部カバーを閉じた時、閉じた状態をロックするロック機構と、
前記凹部カバーの両端に、それぞれ蝶番を介して取り付けられ、先端部に、前記ドアの上縁部で押さえ付けられる係止部を有する係止カバーとを備えたことを特徴とする可搬式エンジン作業機の盗難防止装置。
【請求項３】
前記凹部両端の角部開口部に、両側壁に掛け渡したロープ掛け金具を有する可搬式エンジン作業機に適用したことを特徴とする請求項１又は２に記載の可搬式エンジン作業機の盗難防止装置。
【請求項４】
前記凹部の上部開口片側縁部に凹部カバーを取り付ける蝶番は、蝶番の一側を凹部カバーに溶接し、蝶番の反対側を前記凹部の側面壁にビス止めしたことを特徴とする請求項１，２又は３に記載の可搬式エンジン作業機の盗難防止装置。
【請求項５】
前記凹部カバーの両端に係止カバーを取り付ける蝶番は、蝶番の一側を係止カバーに溶接し、蝶番の反対側にボルトを溶接し、該ボルトを前記凹部カバーの表側から裏側に向けて差し込み、凹部カバーの裏側でナット止めしたことを特徴とする請求項１，２，３又は４に記載の可搬式エンジン作業機の盗難防止装置。
【請求項６】
前記ドアの錠を解錠する鍵と、前記凹部カバーの閉じた状態をロックするロック機構を解錠する鍵とに同じ鍵を用いたことを特徴とする請求項１，２，３，４又は５に記載の可搬式エンジン作業機の盗難防止装置。
【請求項７】
前記ドアの錠を解錠する鍵と、前記凹部カバーの閉じた状態をロックするロック機構を解錠する鍵とに異なる鍵を用いたことを特徴とする請求項１，２，３，４又は５に記載の可搬式エンジン作業機の盗難防止装置。
【発明の詳細な説明】
【技術分野】
【０００１】
本発明は、屋外の工事現場等において使用される、エンジン駆動式の発電機，溶接機，コンプレッサのような可搬式エンジン作業機の盗難防止装置に関するものである。
【背景技術】
【０００２】
可搬式エンジン作業機は、エンジンより発生する騒音を抑制するため、エンジン及び発電機，溶接機，コンプレッサ等の作業機を金属製の筐体で覆っている。そのような可搬式エンジン作業機は、工事現場を移動する際に便利なように、作業機のほぼ重心位置の筐体ルーフに吊り金具やロープ掛け金具を設け、それらにクレーンのフックやワイヤロープ等を掛けて作業機を吊り上げて移動させることができるようにしている。
【０００３】
図７は、可搬式エンジン作業機の一例を示す図で、図７（イ）は平面図、図７（ロ）は右面図である。図７において、１は作業機筐体のルーフ、２はルーフ１の上面に設けた凹部、３は凹部２の中央部に掛け渡すように設けられた棒状の吊り金具、４は凹部２と連通する角部開口部、５は角部開口部４に掛け渡すように設けられたロープ掛け金具、６，７はドア、８はドアハンドル、９はドアハンドル８をロックするためのシリンダ錠である。なお、可搬式エンジン作業機では、通常、エンジン側（図７（ロ）の右側）が前側で、エンジンで駆動される発電機等の作業機側が後側となり、ドア６，７が設けられている側は左右側となる。
【０００４】
吊り金具３は、作業機のほぼ重心位置に設けられており、工事現場を移動する際には、吊り金具３にクレーンのフックを掛けて吊り上げることにより、作業機を容易にトラック等に載せ、移動させることができる。一方、そのように簡単に作業機を移動できることから、クレーン付きのトラックさえあれば、他人が工事現場から作業機を持ち去るという盗難事件が多発している。また、吊り金具３にクレーンのフックを掛けなくても、ロープ掛け金具５にワイヤロープを掛ければ、作業機を持ち上げてトラック等に載せ、持ち去ることもできる。
【０００５】
そこで、従来から、他人が勝手に吊り金具３にクレーンのフックを掛けたり、ロープ掛け金具５にワイヤロープを掛けたりできないようにした盗難防止装置がいくつか提案されている。例えば、特許文献１に示されるように、吊り金具３とロープ掛け金具５の下方の空間部を、それぞれ閉塞部材で塞ぎ、ロック機構でそれらをロックすることにより、他人が勝手に吊り金具３にクレーンのフックを掛けたり、ロープ掛け金具５にワイヤロープを掛けたりできないようにした技術が提案されている。
【０００６】
また、特許文献２には、両側の角部開口部４の内の一方と凹部２の上部とを一つの閉塞部材で覆い、もう一方の角部開口部４を別の閉塞部材で覆って、それらの閉塞部材をそれぞれロック機構によってロックすることにより、他人が勝手に吊り金具３にクレーンのフックを掛けたり、ロープ掛け金具５にワイヤロープを掛けたりできないようにした技術が提案されている。さらに、特許文献２には、両側の角部開口部４と凹部２の上部とを一つの閉塞部材で覆うようにしたものも示されている。
【０００７】
また、特許文献３には、凹部２の上部と角部開口部４を板状の盗難防止カバーで覆い、その盗難防止カバーを頭部が特殊形状をした盗難防止ネジにより固定し、該盗難防止ネジを締結するための専用工具を別の場所に保管することにより、専用工具を持たない他人は、盗難防止カバーを取り外すことができず、勝手に吊り金具３にクレーンのフックを掛けたり、ロープ掛け金具５にワイヤロープを掛けたりできないようにした技術が提案されている。
【０００８】
さらに、特許文献３には、参考例として、図８に示すように、凹部２の上部を覆う部分と、それより直角に折り曲げられて角部開口部４を覆う部分とからなる盗難防止カバー３０を蝶番３１で筐体のルーフ１に連結し、その盗難防止カバー３０で凹部２の上部と角部開口部４を覆ってからシリンダ錠３２によってロックするようにしたものも示されている。
【０００９】
これらの盗難防止装置を用いれば、吊り金具３にクレーンのフックを掛けるのを防ぐことができ、また、ロープ掛け金具５にワイヤロープを掛けるのを防ぐことができて、作業機の不法な持ち去りを防ぐことができる。
【特許文献１】特許第３７８９４１４号公報
【特許文献２】特開２００５−３２５８４４号公報
【特許文献３】特許第３９９４１３６号公報
【発明の開示】
【発明が解決しようとする課題】
【００１０】
しかしながら、上記従来の可搬式エンジン作業機の盗難防止装置の内、特許文献１に示されるような盗難防止装置は、吊り金具３と二つのロープ掛け金具５とを別々の部品で塞ぐようにしているので、取り付けに手間がかかる上、部品点数が多くなって管理の負担が大きくなるという問題点があった。
【００１１】
また、特許文献２に示されるような盗難防止装置は、一方の角部開口部４と凹部２の上部とを一つの閉塞部材で覆い、もう一方の角部開口部４を別の閉塞部材で覆う場合は、取り付けに手間がかかる上、部品点数が多くなって管理の負担が大きくなり、また、両側の角部開口部４と凹部２の上部とを一つの閉塞部材で覆うようにした場合は、装着する際に、片側のロープ掛け金具５と吊り金具３に、それぞれ補強リブと掛け止め部を係合させながら他方の角部開口部４側に移動させる必要があり、装着に手間がかかるという問題点があった。さらに、いずれの場合も、盗難防止装置を解除したときは作業機から分離してしまうので、取り外した部品を保管する必要があって、管理の負担が大きくなるという問題点があった。
【００１２】
また、特許文献３に示されるような盗難防止装置は、頭部が特殊形状をした盗難防止ネジを用いるため、紛失した場合の在庫管理や、盗難防止ネジを締結するための専用工具の保管管理に対する負担が大きくなるという問題点があった。一方、図８に示したようなものは、頭部が特殊形状をした盗難防止ネジを用いないためそのような問題はないが、両側の角部開口部４を覆う部分は、単に屈曲された板状体で覆っているだけなので、隙間にバール等の工具を差し込むことにより簡単にこじ開けられて、ロープ掛け金具５にワイヤロープを通すことができてしまうという問題点があった。
【００１３】
本発明は、そのような問題点に鑑み、部品や工具の管理の負担がなく、装着に手間もかからず、簡単にこじ開けられるようなこともない可搬式エンジン作業機の盗難防止装置を提供することを目的とするものである。
【課題を解決するための手段】
【００１４】
前記課題を解決するため、本願の請求項１にかかる発明は、エンジンと、該エンジンにより駆動される作業機と、該エンジン及び作業機を覆う筐体と、該筐体の左右面に設けられ、開き戸式に開閉し、錠によりロックされるドアと、前記筐体のルーフに形成した溝状凹部の両側壁に掛け渡した棒状の吊り金具とを備えた可搬式エンジン作業機の盗難防止装置であって、前記ルーフの左右端で屈曲され前記ルーフ上面から筐体左右面に渡って、前記凹部を覆うように設けられ、凹部の上部開口片側縁部に蝶番により開閉自在に取り付けた凹部カバーと、該凹部カバーを閉じた時、閉じた状態をロックするロック機構と、前記凹部カバーの両端に、それぞれ蝶番を介して取り付けられ、先端部に、前記ドアの上縁部で押さえ付けられる係止部を有する係止カバーとを備えたことを特徴とする。
【００１５】
また、本願の請求項２にかかる発明は、エンジンと、該エンジンにより駆動される作業機と、該エンジン及び作業機を覆う筐体と、該筐体の左右面に設けられ、開き戸式に開閉し、錠によりロックされるドアと、前記筐体のルーフに形成した溝状凹部の両側壁に掛け渡した棒状の吊り金具とを備えた可搬式エンジン作業機の盗難防止装置であって、前記ルーフの左端から右端に渡って、前記凹部を覆うように設けられ、凹部の上部開口片側縁部に蝶番により開閉自在に取り付けた凹部カバーと、該凹部カバーを閉じた時、閉じた状態をロックするロック機構と、前記凹部カバーの両端に、それぞれ蝶番を介して取り付けられ、先端部に、前記ドアの上縁部で押さえ付けられる係止部を有する係止カバーとを備えたことを特徴とする。
【００１６】
また、本願の請求項３にかかる発明は、請求項１又は２にかかる発明において、前記凹部両端の角部開口部に、両側壁に掛け渡したロープ掛け金具を有する可搬式エンジン作業機に適用したことを特徴とする。
【００１７】
また、本願の請求項４にかかる発明は、請求項１，２又は３にかかる発明において、前記凹部の上部開口片側縁部に凹部カバーを取り付ける蝶番は、蝶番の一側を凹部カバーに溶接し、蝶番の反対側を前記凹部の側面壁にビス止めしたことを特徴とする。
【００１８】
また、本願の請求項５にかかる発明は、請求項１，２，３又は４にかかる発明において、前記凹部カバーの両端に係止カバーを取り付ける蝶番は、蝶番の一側を係止カバーに溶接し、蝶番の反対側にボルトを溶接し、該ボルトを前記凹部カバーの表側から裏側に向けて差し込み、凹部カバーの裏側でナット止めしたことを特徴とする。
【００１９】
また、本願の請求項６にかかる発明は、請求項１，２，３，４又は５にかかる発明において、前記ドアの錠を解錠する鍵と、前記凹部カバーの閉じた状態をロックするロック機構を解錠する鍵とに同じ鍵を用いたことを特徴とする。
【００２０】
また、本願の請求項７にかかる発明は、請求項１，２，３，４又は５にかかる発明において、前記ドアの錠を解錠する鍵と、前記凹部カバーの閉じた状態をロックするロック機構を解錠する鍵とに異なる鍵を用いたことを特徴とする。
【発明の効果】
【００２１】
本発明の可搬式エンジン作業機の盗難防止装置は、次のような効果を奏する。
【００２２】
すなわち、請求項１にかかる発明においては、凹部の上部開口片側縁部に蝶番により開閉自在に凹部カバーを取り付けて、ルーフの左右端で屈曲されルーフ上面から筐体左右面に渡って、凹部を覆うように設け、該凹部カバーを閉じた時、ロック機構によりロックするとともに、凹部カバーの両端に、それぞれ蝶番を介して係止カバーを取り付け、その先端部の係止部を、エンジン作業機のドアの上縁部で押さえ付けるようにした。その結果、凹部カバーと係止カバーは、作業機筐体のルーフと蝶番により一体になっているため、部品や工具の管理の負担はなくなり、装着に手間もかからず、しかも、凹部カバーに設けたロック機構とエンジン作業機ドアの錠により二重にロックされるため、吊り金具を利用した盗難を確実に防止できる。
【００２３】
また、請求項２にかかる発明においては、凹部の上部開口片側縁部に蝶番により開閉自在に凹部カバーを取り付けて、ルーフの左端から右端に渡って、凹部を覆うように設け、該凹部カバーを閉じた時、ロック機構によりロックするとともに、凹部カバーの両端に、それぞれ蝶番を介して係止カバーを取り付け、その先端部の係止部を、エンジン作業機のドアの上縁部で押さえ付けるようにした。その結果、凹部カバーと係止カバーは、作業機筐体のルーフと蝶番により一体になっているため、部品や工具の管理の負担はなくなり、装着に手間もかからず、しかも、凹部カバーに設けたロック機構とエンジン作業機ドアの錠により二重にロックされるため、吊り金具を利用した盗難を確実に防止できる。
【００２４】
また、請求項３にかかる発明においては、請求項１又は２にかかる可搬式エンジン作業機の盗難防止装置を、前記凹部両端の角部開口部に、両側壁に掛け渡したロープ掛け金具を有する可搬式エンジン作業機に適用した。その結果、凹部カバーと係止カバーにより、吊り金具とともにロープ掛け金具も覆ってロックすることにより、ロープ掛け金具を利用した盗難をも防止できる。
【００２５】
また、請求項４にかかる発明においては、請求項１，２又は３にかかる可搬式エンジン作業機の盗難防止装置において、前記凹部の上部開口片側縁部に凹部カバーを取り付ける蝶番は、蝶番の一側を凹部カバーに溶接し、蝶番の反対側を前記凹部の側面壁にビス止めした。その結果、取り替え等のために凹部カバーを取り外す際には、ビスを緩めるだけで取り外すことができ、凹部カバーを閉じたときは、ビスは凹部カバーの下に隠され、外面に現れる接合部分は全て溶接されているので、悪意のある第三者に凹部カバーが開けられることはなくなる。
【００２６】
また、請求項５にかかる発明においては、請求項１，２，３又は４にかかる可搬式エンジン作業機の盗難防止装置において、前記凹部カバーの両端に係止カバーを取り付ける蝶番は、蝶番の一側を係止カバーに溶接し、蝶番の反対側にボルトを溶接し、該ボルトを前記凹部カバーの表側から裏側に向けて差し込み、凹部カバーの裏側でナット止めするようにした。その結果、取り替え等のために係止カバーを取り外す際には、ナットを緩めるだけで凹部カバーから取り外すことができ、凹部カバーを閉じたときは、ナットは凹部カバーの下に隠され、外面に現れる接合部分は全て溶接されているので、悪意のある第三者に係止カバーが外されることはなくなる。
【００２７】
また、請求項６にかかる発明においては、請求項１，２，３，４又は５にかかる可搬式エンジン作業機の盗難防止装置において、前記ドアの錠を解錠する鍵と、前記凹部カバーをロックするロック機構を解錠する鍵とに同じ鍵を用いたので、一つの鍵を管理するだけでドアハンドル８と凹部カバー１０のシリンダ錠１２の鍵を管理できるので、鍵管理の負担が軽減される。
【００２８】
また、請求項７にかかる発明においては、請求項１，２，３，４又は５にかかる可搬式エンジン作業機の盗難防止装置において、前記ドアの錠を解錠する鍵と、前記凹部カバーの閉じた状態をロックするロック機構を解錠する鍵とに異なる鍵を用いたので、凹部カバーを開けるには二つの鍵が必要になって、二重に盗難防止ができる。
【発明を実施するための最良の形態】
【００２９】
以下、本発明の実施例を図面に基づいて詳細に説明する。
【実施例１】
【００３０】
図１は、本発明の第１実施例を示す図、図２は、その縦断面図、図３は、一部右面図である。図１〜３において、符号１〜５は、図７のものに対応しており、１０は凹部カバー、１１，１５は蝶番、１２はシリンダ錠、１３はブラケット、１４は補強材、１６はボルト、１７は係止カバー、１８はドア受け部である。
【００３１】
作業機筐体のルーフ１上面に、左端から右端に突き抜けるように溝状の凹部２が設けられており、該凹部２中央部の両側壁面に掛け渡すように吊り金具３が設けられている。また、凹部２の左右端の角部開口部４には、角部開口部４の両側壁面に掛け渡すようにロープ掛け金具５が設けられている。なお、この実施例では、ロープ掛け金具５は、それにワイヤロープを掛けたとき、ロープが左右に移動しないで安定するように、中央部が外方に突き出るような山形に形成している。
【００３２】
吊り金具３は、作業機のほぼ重心位置に設けられており、工事現場を移動する際には、吊り金具３にクレーンのフックを掛けて吊り上げることにより、作業機を容易にトラック等に載せ、移動させることができるようにしている。また、トラックに載せて移動させる際等に作業機が動かないように、ロープ掛け金具５にロープを掛けて固定できるようにしている。
【００３３】
このような可搬式エンジン作業機において、凹部２の上面開口部を覆って吊り金具３にクレーンのフックを掛けたり、ロープ掛け金具５にワイヤロープを掛けたりすることができないように、凹部カバー１０を設けている。凹部カバー１０は、凹部の開口部片側縁部に蝶番１１，１１により開閉自在に取り付けられているが、蝶番１１，１１は、蝶番１１，１１の一側を凹部カバー１０の縁部に溶接し、反対側を凹部２の側面壁にビス止めしている。そのようにすることにより、取り替え等のために凹部カバー１０を取り外す際には、ビスを緩めるだけで取り外すことができ、凹部カバー１０を閉じたときは、ビスは凹部カバー１０の下に隠され、外面に現れるその他の接合部分は全て溶接されているので、第三者に不法に凹部カバー１０が開けられることはなくなる。
【００３４】
その凹部カバー１０は、ルーフ１の左右端で直角に屈曲させて、作業機筐体の左右面まで延長されており、凹部２の角部開口部４をも覆うことができるようになっている。また、凹部カバー１０の裏側には、断面鍵型の補強材１４を長手方向に溶接して設け、凹部カバー１０を補強し、バール等を使っても簡単にはこじ開けられないようにしている。
【００３５】
さらに、凹部カバー１０の両端には、それぞれ蝶番１５，１５を介して係止カバー１７，１７が取り付けられており、それらの先端部は、クランク状に屈曲されて係止部１７ａが形成されている。その係止部１７ａは、ドア６，７を閉じたとき、ドア６，７の上縁部で押さえ付けられ、ドア６，７を開けないかぎり外せないようになっている。
【００３６】
蝶番１５，１５は、それらの一側を係止カバー１０の基部に溶接し、蝶番１５，１５の反対側にボルト１６，１６を溶接し、それらのボルト１６，１６を凹部カバー１０の表側から裏側に向けて差し込み、凹部カバー１０の裏側でナット止めしている。そのようにすることにより、取り替え等のために係止カバー１７を取り外す際には、ナットを緩めるだけで凹部カバー１０から取り外すことができ、凹部カバー１０を閉じたときは、ナットは凹部カバー１０の下に隠され、外面に現れるその他の接合部分は全て溶接されているので、第三者に不法に係止カバー１７が外されることはなくなる。
【００３７】
さらに、凹部カバー１０には、凹部カバー１０が開けられないようにするためのロック機構としてシリンダ錠１２が設けられている。また、凹部２側壁のシリンダ錠１２に対向する位置に、コの字形のブラケット１３が溶接されており、凹部カバー１０を閉めてシリンダ錠１２を施錠したとき、シリンダ錠１２の係合片１２ａがそれに係合して凹部カバー１０が開けられないようにしている。
【００３８】
そして、シリンダ錠１２を解錠するための鍵を、ドアハンドル８のシリンダ錠９の鍵と同じ鍵にすれば、従来同様、ドアハンドル８の鍵を管理するだけで凹部カバー１０のシリンダ錠１２の鍵も管理できるので、鍵管理の負担増はなくなる。一方、シリンダ錠１２を解錠するための鍵として、ドアハンドル８のシリンダ錠９の鍵とは異なる鍵を用いれば、二重に盗難防止ができる。
【実施例２】
【００３９】
図４は、本発明の第２実施例を示す図、図５は、図４のものの縦断面図、図６は、一部右面図である。図４〜６において、符号１〜１４は、図１〜３のものに対応しており、１９は係止カバー、２０は蝶番、２１はボルトである。
【００４０】
第１実施例では、凹部カバー１０を、ルーフ１の左右端で直角に屈曲させて、作業機筐体の左右面まで延長し、凹部２の角部開口部４をも覆うようにしたが、この実施例では、凹部カバー１０はルーフ１の肩部までとし、その両端に、それぞれ蝶番２０を介して係止カバー１９を取り付けている。係止カバー１９は、ドア６，７の上端縁まで届く長さを有しており、その先端部に、ドア６，７の上縁部で押さえ付けられる係止部１９ａを有しており、ドア６，７を閉じると開けられないようになっている。なお、蝶番１１，１１の取り付け構造は、第１実施例と同様である。
【００４１】
蝶番２０，２０は、第１実施例の蝶番１５，１５と同様に、それらの一側を係止カバー１０の基部に溶接し、反対側にボルト２１，２１を溶接し、それらのボルト２１，２１を凹部カバー１０の表側から裏側に向けて差し込み、凹部カバー１０の裏側でナット止めしている。また、シリンダ錠１２及びその鍵については、第１実施例と同様である。
【００４２】
この第２実施例では、凹部カバー１０を閉じてシリンダ錠１２でロックした状態でも、ドア６，７を開ければ係止カバー１９，１９を上げて角部開口部４を開放することができる。そのため、複数台の作業機を同じ場所で保管する際等に、隣り合う作業機の互いに対向する係止カバー１９，１９を開けて、互いのロープ掛け金具５，５を鎖等で連結して錠を掛けることもできる。そのようにすれば、第三者が、吊り金具３等を利用しない別の手段で作業機を盗み出そうとしたとき、他の作業機と連結されているため盗み出すことができなくなる。
【００４３】
なお、上記各実施例は、凹部２の両端部に角部開口部４とロープ掛け金具５が設けられているエンジン作業機に適用した場合で説明したが、本発明は、凹部２の両端部が閉鎖されていて、角部開口部４及びロープ掛け金具５が設けられていない作業機にも適用できる。また、凹部カバー１０のロック機構としてシリンダ錠１２を用いる例を示したが、シリンダ錠１２以外のロック機構を適宜用いることもできる。
【図面の簡単な説明】
【００４４】
【図１】本発明の第１実施例を示す図である。
【図２】図１のものの縦断面図である。
【図３】図１のものの一部右面図である。
【図４】本発明の第２実施例を示す図である。
【図５】図４のものの縦断面図である。
【図６】図４のものの一部右面図である。
【図７】可搬式エンジン作業機の一例を示す図である。
【図８】従来の可搬式エンジン作業機の盗難防止装置の一例を示す図である。
【符号の説明】
【００４５】
１…ルーフ
２…凹部
３…吊り金具
４…角部開口部
５…ロープ掛け金具
６，７…ドア
８…ドアハンドル
９…シリンダ錠
１０，３０…凹部カバー
１１，１５，２０，３１…蝶番
１２，３２…シリンダ錠
１３…ブラケット
１４…補強材
１６…ボルト
１７，１９…係止カバー
１８…ドア受け部
【図１】
0004906707.tif 000002
【図２】
0004906707.tif 000003
【図３】
0004906707.tif 000004
【図４】
0004906707.tif 000005
【図５】
0004906707.tif 000006
【図６】
0004906707.tif 000007
【図７】
0004906707.tif 000008
【図８】
0004906707.tif 000009